【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動きベクトルを検出して符号化された符号列を復号する画像復号装置であって、
動き情報の符号化データを復号する動き情報復号部を備え、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号部は、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像復号装置。
【請求項２】
動画像の各ピクチャを分割したブロック単位で動きベクトルを検出して符号化された符号列を復号する画像復号方法であって、
動き情報の符号化データを復号する動き情報復号ステップを有し、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号ステップは、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像復号方法。
【請求項３】
動画像の各ピクチャを分割したブロック単位で動きベクトルを検出して符号化された符号列を復号する画像復号プログラムであって、
動き情報の符号化データを復号する動き情報復号ステップをコンピュータに実行させ、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号ステップは、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像復号プログラム。
【請求項４】
動画像の各ピクチャを分割したブロック単位で動きベクトルを検出して符号化された符号列を受信し、受信した符号列を復号する受信装置であって、
動き情報の符号化データを復号する動き情報復号部を備え、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号部は、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする受信装置。
【請求項５】
動画像の各ピクチャを分割したブロック単位で動きベクトルを検出して符号化された符号列を受信し、受信した符号列を復号する受信方法であって、
動き情報の符号化データを復号する動き情報復号ステップを有し、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号ステップは、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする受信方法。
【請求項６】
動画像の各ピクチャを分割したブロック単位で動きベクトルを検出して符号化された符号列を受信し、受信した符号列を復号する受信プログラムであって、
動き情報の符号化データを復号する動き情報復号ステップをコンピュータに実行させ、
復号対象ブロックの予測方向が双方向予測の場合に用いる差分ベクトルの本数を選択可能であり、
前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、
前記動き情報復号ステップは、前記差分ベクトルを復号して前記参照ブロックの動き情報に含まれる前記一方の動きベクトルを修正することで、前記復号対象ブロックの動きベクトルを生成し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする受信プログラム。
【手続補正２】
【補正対象書類名】明細書
【補正対象項目名】発明の名称
【補正方法】変更
【補正の内容】
【発明の名称】画像復号装置、画像復号方法、画像復号プログラム、受信装置、受信方法及び受信プログラム
【手続補正３】
【補正対象書類名】明細書
【補正対象項目名】０００１
【補正方法】変更
【補正の内容】
【０００１】
本発明は、動き補償予測を用いた動画像符号化技術に関し、特に動き補償予測に利用する画像復号装置、画像復号方法、画像復号プログラム、受信装置、受信方法及び受信プログラムに関する。
【手続補正４】
【補正対象書類名】明細書
【補正対象項目名】００１２
【補正方法】変更
【補正の内容】
【００１２】
動画像の各ピクチャを分割したブロック単位で動きベクトルを検出して符号化された符号列を復号する画像復号装置であって、動き情報の符号化データを復号する動き情報復号部を備え、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号部は、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする画像復号装置を提供する。
動画像の各ピクチャを分割したブロック単位で動きベクトルを検出して符号化された符号列を復号する画像復号方法であって、動き情報の符号化データを復号する動き情報復号ステップを有し、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号ステップは、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする画像復号方法を提供する。
動画像の各ピクチャを分割したブロック単位で動きベクトルを検出して符号化された符号列を復号する画像復号プログラムであって、動き情報の符号化データを復号する動き情報復号ステップをコンピュータに実行させ、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号ステップは、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする画像復号プログラムを提供する。
動画像の各ピクチャを分割したブロック単位で動きベクトルを検出して符号化された符号列を受信し、受信した符号列を復号する受信装置であって、動き情報の符号化データを復号する動き情報復号部を備え、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号部は、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする受信装置を提供する。
動画像の各ピクチャを分割したブロック単位で動きベクトルを検出して符号化された符号列を受信し、受信した符号列を復号する受信方法であって、動き情報の符号化データを復号する動き情報復号ステップを有し、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号ステップは、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする受信方法を提供する。
動画像の各ピクチャを分割したブロック単位で動きベクトルを検出して符号化された符号列を受信し、受信した符号列を復号する受信プログラムであって、動き情報の符号化データを復号する動き情報復号ステップをコンピュータに実行させ、復号対象ブロックの予測方向が双方向予測の場合に用いる差分ベクトルの本数を選択可能であり、前記復号対象ブロックの動き情報には、予測方向が双方向予測の場合であって、かつ前記復号対象ブロックに隣接する参照ブロックの動き情報に含まれる一方の動きベクトルを修正する場合において、前記参照ブロックのインデックス、及び前記復号対象ブロックの動きベクトルと前記参照ブロックの動き情報に含まれる前記一方の動きベクトルとの差分ベクトルが符号化されており、前記動き情報復号ステップは、前記差分ベクトルを復号して前記参照ブロックの動き情報に含まれる前記一方の動きベクトルを修正することで、前記復号対象ブロックの動きベクトルを生成し、前記差分ベクトルの対象となる前記参照ブロックの動き情報に含まれる前記一方の動きベクトルは、参照ブロック候補の動き情報から特定される、予測方向によって決定される動きベクトルであることを特徴とする受信プログラムを提供する。